(57)【要約】【課題】制御対象とする医療機器との再接続を容易にしつつ、その再接続が意図しない医療機器との誤接続になるリスクを低減して医療機器の誤操作を防止する。【解決手段】医療機器を制御する制御端末装置は、過去に制御端末装置と無線通信が確立された医療機器の一覧を表示し、ユーザの入力操作に基づき、医療機器の一覧の中から、接続対象とする医療機器を選択し、選択した医療機器と、最後に制御端末装置と無線通信が確立された医療機器と、が一致するか否かを判定し、一致すると判定した場合は、最後に制御端末装置と無線通信が確立されたときに使用された無線認証情報を用いて、選択した医療機器との間の無線通信を確立し、一致しないと判定した場合は、新規に無線認証情報を取得して、選択した医療機器との間の無線通信を確立する。【選択図】図１
2020072462.tif 000002
【特許請求の範囲】
【請求項１】
医療機器を制御する制御端末装置であって、
医療機器との間で無線通信を行う無線通信部と、
前記無線通信部に依り過去に無線通信が確立された医療機器の識別情報が記憶された第１の記憶部と、
前記無線通信部に依り最後に無線通信が確立された医療機器の識別情報と当該無線通信が確立されたときに使用された無線認証情報とが記憶された第２の記憶部と、
前記第１の記憶部に記憶された前記識別情報に基づいて、前記無線通信部に依り過去に無線通信が確立された前記医療機器の一覧を表示する表示部と、
ユーザの入力操作に基づき、前記表示部に表示された前記医療機器の一覧の中から、接続対象とする医療機器を選択する選択部と、
前記選択部に依り選択された前記医療機器の識別情報と、前記第２の記憶部に記憶された前記識別情報と、が一致するか否かを判定する判定部と、
前記判定部に依り前記識別情報が一致すると判定された場合は、前記第２の記憶部に記憶された前記無線認証情報を用いて前記選択部に依り選択された前記医療機器との間の無線通信を確立する制御を行い、前記判定部に依り前記識別情報が一致しないと判定された場合は、新規に無線認証情報を取得して前記選択部に依り選択された前記医療機器との間の無線通信を確立する制御を行う通信制御部と、
を備えることを特徴とする制御端末装置。
【請求項２】
無線通信の接続先となる医療機器が前記選択部における前記入力操作に基づいて選択される第１のモードと、無線通信の接続先となる前記医療機器が前記無線通信部に依り最後に無線通信が確立された前記医療機器に選択される第２のモードと、の何れかを設定するモード設定部、を更に備える、
ことを特徴とする請求項１に記載の制御端末装置。
【請求項３】
前記モード設定部に依り前記第１のモードが設定されている場合であって、且つ、前記第１の記憶部に１つの前記医療機器の識別情報のみが記憶されている場合、前記通信制御部は、前記選択部における前記入力操作を必要とせずに前記第２の記憶部に記憶された前記無線認証情報を用いて前記第２の記憶部に記憶された前記識別情報の前記医療機器との間の無線通信を確立する制御を行う、
ことを特徴とする請求項２に記載の制御端末装置。
【請求項４】
前記モード設定部に依り前記第２のモードが設定されている場合、前記通信制御部は、前記第２の記憶部に記憶された前記無線認証情報を用いて前記第２の記憶部に記憶された前記識別情報の前記医療機器との間の無線通信を確立する制御を行う、
ことを特徴とする請求項２に記載の制御端末装置。
【請求項５】
医療機器を制御する制御端末装置において実行される再接続方法であって、
過去に前記制御端末装置と無線通信が確立された医療機器の一覧を表示し、
ユーザの入力操作に基づき、前記医療機器の一覧の中から、接続対象とする医療機器を選択し、
選択した前記医療機器と、最後に前記制御端末装置と無線通信が確立された医療機器と、が一致するか否かを判定し、
前記医療機器が一致すると判定した場合は、最後に前記制御端末装置と無線通信が確立されたときに使用された無線認証情報を用いて、選択した前記医療機器との間の無線通信を確立し、
前記医療機器が一致しないと判定した場合は、新規に無線認証情報を取得して、選択した前記医療機器との間の無線通信を確立する、
ことを特徴とする再接続方法。
【請求項６】
医療機器を制御する制御端末装置のコンピュータに、
過去に前記制御端末装置と無線通信が確立された医療機器の一覧を表示し、
ユーザの入力操作に基づき、前記医療機器の一覧の中から、接続対象とする医療機器を選択し、
選択した前記医療機器と、最後に前記制御端末装置と無線通信が確立された医療機器と、が一致するか否かを判定し、
前記医療機器が一致すると判定した場合は、最後に前記制御端末装置と無線通信が確立されたときに使用された無線認証情報を用いて、選択した前記医療機器との間の無線通信を確立し、
前記医療機器が一致しないと判定した場合は、新規に無線認証情報を取得して、選択した前記医療機器との間の無線通信を確立する、
という処理を実行させることを特徴とする再接続プログラム。
【発明の詳細な説明】
【技術分野】
【０００１】
本発明は、医療機器を制御する制御端末装置、制御端末装置において実行される再接続方法、及び制御端末装置のコンピュータに実行される再接続プログラムに関する。
【背景技術】
【０００２】
従来、医療機器を制御するためのコントローラが知られている。
コントローラは、制御対象とする医療機器との間で無線通信の接続を確立することに依り、その医療機器の制御が可能になる。コントローラと医療機器とが接続されると、ユーザは、コントローラを操作することに依り、その医療機器の操作が可能になる。このため、意図した医療機器を操作するためには、意図した医療機器との接続が確実に行われる必要がある。
【０００３】
コントローラが使用される医療検査（例えば内視鏡検査）は、施設に依って運用が異なり、コントローラの使われ方も異なる。例えば、１つのコントローラが複数の検査室で使用される場合がある。この場合は、ユーザがコントローラを所持して検査室間を移動し、各検査室で同じコントローラが使用される。そのため、使用される検査室が変わる度に、コントローラと検査室に設けられた医療機器とを接続し直す必要がある。また、例えば、検査室に医療機器とコントローラとが常設される場合もある。この場合は、コントローラの接続先は、固定された医療機器となる。
【０００４】
なお、医療分野において、無線通信が使用される技術に関しては、次に示す技術が知られている。例えば、無線接続される超音波プローブを含む超音波診断装置において、周辺に複数の超音波プローブが存在しても、目的の超音波プローブと容易に無線接続を確立することができる技術が知られている（特許文献１参照）。また、例えば、医療室または他の医療区域にある機器類の存在を自動的に判断し、ワイヤー接続を行なわずにかつ当該医療室内にどの機器類が存在するか人手によって判断する必要のない機器類の集中管理を提供する技術が知られている（特許文献２参照）。また、例えば、医用画像撮影装置と当該医用画像撮影装置を操作する端末を離して設置した場合であっても両者の接続をより確実に行うとともに、接続状態を確認することができる医用画像撮影システムが知られている（特許文献３参照）。
【先行技術文献】
【特許文献】
【０００５】
【特許文献１】特開２０１１−２３６号公報
【特許文献２】特表２０１１−５２３８６９号公報
【特許文献３】特開２０１５−７７２０８号公報
【発明の概要】
【発明が解決しようとする課題】
【０００６】
１つのコントローラが複数の検査室で使用される場合において、検査室に設けられた医療機器とコントローラとが再接続されるときは、その再接続の容易性を確保しつつ、その再接続が意図しない医療機器との誤接続になるリスクを低減したい、という要望がある。また、検査室に医療機器とコントローラとが常設される場合において、医療機器とコントローラとが再接続されるときは、その再接続が誤接続になるリスクが低いため、その再接続の容易性を最大限にしたい、という要望がある。
【０００７】
本発明は、上記実状に鑑み、制御対象とする医療機器との再接続を容易にしつつ、その再接続が意図しない医療機器との誤接続になるリスクを低減して医療機器の誤操作を防止することができる制御端末装置、再接続方法、及び再接続プログラムを提供することを目的とする。
【課題を解決するための手段】
【０００８】
本発明の第１の態様は、医療機器を制御する制御端末装置であって、医療機器との間で無線通信を行う無線通信部と、前記無線通信部に依り過去に無線通信が確立された医療機器の識別情報が記憶された第１の記憶部と、前記無線通信部に依り最後に無線通信が確立された医療機器の識別情報と当該無線通信が確立されたときに使用された無線認証情報とが記憶された第２の記憶部と、前記第１の記憶部に記憶された前記識別情報に基づいて、前記無線通信部に依り過去に無線通信が確立された前記医療機器の一覧を表示する表示部と、ユーザの入力操作に基づき、前記表示部に表示された前記医療機器の一覧の中から、接続対象とする医療機器を選択する選択部と、前記選択部に依り選択された前記医療機器の識別情報と、前記第２の記憶部に記憶された前記識別情報と、が一致するか否かを判定する判定部と、前記判定部に依り前記識別情報が一致すると判定された場合は、前記第２の記憶部に記憶された前記無線認証情報を用いて前記選択部に依り選択された前記医療機器との間の無線通信を確立する制御を行い、前記判定部に依り前記識別情報が一致しないと判定された場合は、新規に無線認証情報を取得して前記選択部に依り選択された前記医療機器との間の無線通信を確立する制御を行う通信制御部と、を備えることを特徴とする。
【０００９】
本発明の第２の態様は、第１の態様において、無線通信の接続先となる医療機器が前記選択部における前記入力操作に基づいて選択される第１のモードと、無線通信の接続先となる前記医療機器が前記無線通信部に依り最後に無線通信が確立された前記医療機器に選択される第２のモードと、の何れかを設定するモード設定部、を更に備える、ことを特徴とする。
【００１０】
本発明の第３の態様は、第２の態様において、前記モード設定部に依り前記第１のモードが設定されている場合であって、且つ、前記第１の記憶部に１つの前記医療機器の識別情報のみが記憶されている場合、前記通信制御部は、前記選択部における前記入力操作を必要とせずに前記第２の記憶部に記憶された前記無線認証情報を用いて前記第２の記憶部に記憶された前記識別情報の前記医療機器との間の無線通信を確立する制御を行う、ことを特徴とする。
【００１１】
本発明の第４の態様は、第２の態様において、前記モード設定部に依り前記第２のモードが設定されている場合、前記通信制御部は、前記第２の記憶部に記憶された前記無線認証情報を用いて前記第２の記憶部に記憶された前記識別情報の前記医療機器との間の無線通信を確立する制御を行う、ことを特徴とする。
【００１２】
本発明の第５の態様は、医療機器を制御する制御端末装置において実行される再接続方法であって、過去に前記制御端末装置と無線通信が確立された医療機器の一覧を表示し、ユーザの入力操作に基づき、前記医療機器の一覧の中から、接続対象とする医療機器を選択し、選択した前記医療機器と、最後に前記制御端末装置と無線通信が確立された医療機器と、が一致するか否かを判定し、前記医療機器が一致すると判定した場合は、最後に前記制御端末装置と無線通信が確立されたときに使用された無線認証情報を用いて、選択した前記医療機器との間の無線通信を確立し、前記医療機器が一致しないと判定した場合は、新規に無線認証情報を取得して、選択した前記医療機器との間の無線通信を確立する、ことを特徴とする。
【００１３】
本発明の第６の態様は、医療機器を制御する制御端末装置のコンピュータに、過去に前記制御端末装置と無線通信が確立された医療機器の一覧を表示し、ユーザの入力操作に基づき、前記医療機器の一覧の中から、接続対象とする医療機器を選択し、選択した前記医療機器と、最後に前記制御端末装置と無線通信が確立された医療機器と、が一致するか否かを判定し、前記医療機器が一致すると判定した場合は、最後に前記制御端末装置と無線通信が確立されたときに使用された無線認証情報を用いて、選択した前記医療機器との間の無線通信を確立し、前記医療機器が一致しないと判定した場合は、新規に無線認証情報を取得して、選択した前記医療機器との間の無線通信を確立する、という処理を実行させることを特徴とする再接続プログラムである。
【発明の効果】
【００１４】
本発明に依れば、制御対象とする医療機器との再接続を容易にしつつ、その再接続が意図しない医療機器との誤接続になるリスクを低減して医療機器の誤操作を防止することができる、という効果を奏する。
【図面の簡単な説明】
【００１５】
【図１】一実施の形態に係るコントローラの構成例を示す図である。
【図２】一実施の形態に係るコントローラにおいて実行される処理の一例を示すフローチャートである。
【図３】検査室に医療機器とコントローラとが常設された例を示す図である。
【図４】１つのコントローラが複数の検査室で使用される例を示す図である。
【図５】一実施の形態に係るコントローラのハードウェア構成の一例を示す図である。
【発明を実施するための形態】
【００１６】
以下、図面を参照しながら、本発明の実施の形態について説明する。
図１は、一実施の形態に係るコントローラの構成例を示す図である。
図１において、コントローラ１は、医療機器を制御する制御端末装置の一例であって、例えばタブレット端末装置である。
【００１７】
コントローラ１は、無線通信部１１、第１の記憶部１２、第２の記憶部１３、表示部１４、及び制御部１５を備える。
無線通信部１１は、制御対象とする医療機器との間で無線通信を行う通信インターフェースである。
【００１８】
第１の記憶部１２は、無線通信部１１に依り過去に無線通信が確立された医療機器の識別情報が記憶される記憶装置である。識別情報は、例えば、機器ＩＤ（identifier）である。
【００１９】
第２の記憶部１３は、無線通信部１１に依り最後に無線通信が確立された医療機器の識別情報と当該無線通信が確立されたときに使用された無線認証情報とが記憶される記憶装置である。無線認証情報は、例えば、ＳＳＩＤ（service set identifier）やパスフレーズである。無線通信部１１に依り最後に無線通信が確立された医療機器は、無線通信部１１に依り前回に無線通信が確立された医療機器でもある。
【００２０】
なお、第１の記憶部１２と第２の記憶部１３は、１つの記憶装置に、第１の記憶領域と第２の記憶領域として設けられてもよい。
表示部１４は、例えばＬＣＤ（Liquid Crystal Display）装置であって、第１の記憶部１２に記憶された識別情報に基づいて、無線通信部１１に依り過去に無線通信が確立された医療機器の一覧を表示する。
【００２１】
制御部１５は、コントローラ１の全体動作を制御する。
制御部１５は、選択部１５１、判定部１５２、通信制御部１５３、及びモード設定部１５４を備える。
【００２２】
選択部１５１は、コントローラ１に対するユーザの入力操作に基づき、表示部１４に表示された医療機器の一覧の中から、接続対象とする医療機器を選択する。但し、ここで選択される医療機器は１つのみである。
【００２３】
判定部１５２は、選択部１５１に依り選択された医療機器の識別情報と、第２の記憶部１３に記憶された識別情報と、が一致するか否かを判定する。
通信制御部１５３は、判定部１５２に依り識別情報が一致すると判定された場合に、第２の記憶部１３に記憶された無線認証情報を用いて、選択部１５１に依り選択された医療機器との間の無線通信を確立する制御を行う。また、判定部１５２に依り識別情報が一致しないと判定された場合は、新規に無線認証情報を取得して、選択部１５１に依り選択された医療機器との間の無線通信を確立する制御を行う。
【００２４】
モード設定部１５４は、コントローラ１に対するユーザの入力操作に基づいて、接続先選択要求ＯＮモードと、接続先選択要求ＯＦＦモードと、の何れかを設定する。ここで、接続先選択要求ＯＮモードは、無線通信の接続先となる医療機器が選択部１５１におけるユーザの入力操作に基づいて選択されるモードであり、第１のモードの一例である。接続先選択要求ＯＦＦモードは、無線通信の接続先となる医療機器が無線通信部１１に依り最後に無線通信が確立された医療機器に選択されるモードであり、第２のモードの一例である。
【００２５】
本実施形態では、モード設定部１５４に依り接続先選択要求ＯＮモードが設定されている場合であって、且つ、第１の記憶部１２に複数の医療機器の識別情報が記憶されている場合に、通信制御部１５３が、上述の制御を行うものとする。
【００２６】
また、モード設定部１５４に依り接続先選択要求ＯＮモードが設定されている場合であって、且つ、第１の記憶部１２に１つの医療機器の識別情報のみが記憶されている場合には、選択部１５１におけるユーザの入力操作を必要とすることなく、通信制御部１５３が、第２の記憶部１３に記憶されている無線認証情報を用いて第２の記憶部１３に記憶されている識別情報の医療機器との間の無線通信を確立する制御を行うものとする。
【００２７】
また、モード設定部１５４に依り接続先選択要求ＯＦＦモードが設定されている場合には、通信制御部１５３が、第２の記憶部１３に記憶されている無線認証情報を用いて第２の記憶部１３に記憶されている識別情報の医療機器との間の無線通信を確立する制御を行うものとする。
【００２８】
図２は、コントローラ１において実行される処理の一例を示すフローチャートである。
ここでは、過去にコントローラ１と無線通信を確立したことがない医療機器２を制御対象の医療機器（以下「制御対象機器」という）とし、まず、その制御対象機器２との間で新規に無線通信の接続が確立され、その後、その接続が切断され、そして、その制御対象機器２との再接続が行われる場合の例について説明する。
【００２９】
図２において、コントローラ１は、まず、制御対象機器２と新規に無線通信の接続を確立する。ここでは、新規接続となるので、コントローラ１は、新規に取得した無線認証情報を用いて制御対象機器２との接続を確立する。無線認証情報は、新規接続を行うための所定のユーザ操作に依り制御対象機器２から新規に取得されるものであってもよいし、コントローラ１に対するユーザの入力操作に依り入力されて新規に取得されるものであってもよい。ここで、新規接続を行うための所定のユーザ操作とは、制御対象機器２に設けられたハードウェアスイッチの押下等である。
【００３０】
制御対象機器２との新規接続が確立されると、コントローラ１は、制御対象機器２の識別情報を第１の記憶部１２に追加記憶すると共に、制御対象機器２の識別情報と使用された無線認証情報とを第２の記憶部１３に更新記憶する（Ｓ２０１）。ここで、制御対象機器２の識別情報は、制御対象機器２との接続確立時に制御対象機器２から取得され、使用された無線認証情報は、上述の取得された無線認証情報である。
【００３１】
その後、図示はしないが、コントローラ１は、コントローラ１に対するユーザの入力操作に基づいて制御対象機器２を制御する。
そして、例えばユーザの入力操作が所定時間継続して行われなくなると、コントローラ１は、スリープ状態となり（Ｓ２０２）、制御対象機器２との接続を切断する。
【００３２】
その後、コントローラ１に対するユーザのスリープ解除操作が行われると、コントローラ１は、スリープ状態を解除して、接続先選択要求ＯＦＦモードが設定されているか否かを判定する（Ｓ２０３）。
【００３３】
Ｓ２０３の判定結果がＹＥＳの場合、コントローラ１は、第２の記憶部１３に記憶された無線認証情報を用いて、第２の記憶部１３に記憶された識別情報の医療機器との再接続を行う。すなわち、制御対象機器２との再接続を行う。
【００３４】
一方、Ｓ２０３の判定結果がＮＯの場合、コントローラ１は、第１の記憶部１２に記憶されている識別情報が、１つの医療機器の識別情報のみであるか否かを判定する（Ｓ２０４）。
【００３５】
Ｓ２０４の判定結果がＹＥＳの場合、コントローラ１は、Ｓ２０３の判定結果がＹＥＳの場合と同様に、第２の記憶部１３に記憶された無線認証情報を用いて、第２の記憶部１３に記憶された識別情報の医療機器との再接続を行う。すなわち、この場合も、制御対象機器２との再接続を行う。
【００３６】
一方、Ｓ２０４の判定結果がＮＯの場合、コントローラ１は、第１の記憶部１２に記憶された識別情報に基づいて、過去にコントローラ１と無線通信が確立された医療機器の一覧を表示する（Ｓ２０５）。
【００３７】
そして、その一覧に対して、コントローラ１に対するユーザの再接続先選択操作が行われると、その操作に基づいて選択した再接続先の医療機器の識別情報と、第２の記憶部１３に記憶された識別情報と、が一致するか否かを判定する（Ｓ２０６）。すなわち、この場合は、選択された再接続先が前回に接続された制御対象機器２と同じであるか否かを判定する。
【００３８】
Ｓ２０６の判定結果がＹＥＳの場合、コントローラ１は、第２の記憶部１３に記憶された無線認証情報を用いて、再接続先として選択した医療機器との再接続を行う。すなわち、この場合も、制御対象機器２との再接続を行う。
【００３９】
一方、Ｓ２０６の判定結果がＮＯの場合、コントローラ１は、新規接続を行う場合と同様に、新規に無線認証情報を取得して、再接続先として選択した医療機器との接続を確立する。すなわち、この場合は、制御対象機器２以外の制御対象機器との新規接続を行う。なお、この場合は、新規に無線認証情報を取得するために、上述のハードウェアスイッチの押下や無線認証情報の入力等といった、新規接続のためのユーザ操作が要求される。
【００４０】
図２に示した処理に依れば、施設でのコントローラ１の使われ方に応じて、制御対象とする医療機器との再接続が次のとおり行われる。
図３は、検査室に医療機器とコントローラ１とが常設された例を示す図である。
【００４１】
図３に示した例では、検査室Ｂにおいて、コントローラ１に接続される医療機器が、医療機器３に固定されるので、第１の記憶部１２には医療機器３の識別情報のみが記憶されることになる。このため、この例では、接続先選択要求ＯＮモードが設定されている場合であっても、接続先選択要求ＯＦＦモードが設定されている場合であっても、コントローラ１に対するユーザの操作無しに医療機器３との再接続が行われることになり、再接続が容易になる。また、再接続先が医療機器３に固定されるので、他の医療機器と誤接続する虞はない。
【００４２】
図４は、１つのコントローラ１が複数の検査室で使用される例を示す図である。
図４に示した例では、ユーザがコントローラ１を所持して検査室間を移動し、各検査室で同じコントローラ１が使用される。ここでは、コントローラ１に接続先選択要求ＯＮモードが設定され、第１の記憶部１２には複数の識別情報が記憶されているとする。
【００４３】
この例では、各検査室において、検査室に設けられた医療機器との再接続が行われる場合は、まず、過去にコントローラ１と接続された医療機器の一覧の中から再接続先をユーザに選択させる。
【００４４】
そして、選択された再接続先が前回に接続された医療機器と同じである場合は、コントローラ１に対するユーザの操作無しに、選択された再接続先との再接続が行われる。従って、この場合は、再接続先をユーザに選択させる操作だけで再接続が行われるので、再接続のための操作が容易なる。また、新規接続を行うためのユーザ操作が必要とされないので、前回に接続された医療機器との再接続が行われることをユーザに認識させることができる。
【００４５】
一方、選択された再接続先が前回に接続された医療機器と異なる場合は、新規接続を行うためのユーザ操作が行われて、選択された再接続先との再接続が行われる。従って、この場合は、新規接続を行うためのユーザ操作が必要とされるので、前回に接続された医療機器とは異なる医療機器との再接続が行われることをユーザに認識させることができ、意図しない医療機器との誤接続を防止することができる。
【００４６】
以上のとおり、本実施形態によれば、制御対象とする医療機器との再接続を容易にしつつ、その再接続が意図しない医療機器との誤接続になるリスクを低減して医療機器の誤操作を防止することができる。
【００４７】
なお、本実施形態において、コントローラ１の使用方法が、図４に示した使用方法に限定される場合は、図１に示したコントローラ１の構成からモード設定部１５４を省くと共に、図２に示したコントローラ１の処理からＳ２０３及びＳ２０４を省いてもよい。
【００４８】
また、本実施形態において、制御部１５は、ＦＰＧＡ（field-programmable gate array）やＡＳＩＣ（application specific integrated circuit）等の回路に依って実現されてもよい。
【００４９】
また、本実施形態において、コントローラ１は、次に示すハードウェア構成に依り実現されてもよい。
図５は、コントローラ１のハードウェア構成の一例を示す図である。
【００５０】
図５に示したハードウェア構成は、ＣＰＵ（Central Processing Unit）１０１、メモリ１０２、入出力装置１０３、入出力ＩＦ（interface）１０４、記憶装置１０５、可搬記録媒体１０８が収納される可搬記録媒体駆動装置１０６、及び通信ＩＦ１０７を備え、これらはバス１０９を経由して互いに接続されている。
【００５１】
ＣＰＵ１０１は、コントローラ１が行う処理のためのプログラムを実行する演算装置である。メモリ１０２は、ＲＡＭ（Random Access Memory）及びＲＯＭ（Read Only Memory）であり、ＲＡＭはＣＰＵ１０１のワークエリア等として使用され、ＲＯＭはプログラムやプログラムの実行に必要な情報を不揮発的に記憶する。例えば、上述の制御部１５の各部は、ＲＯＭに記憶されたプログラムをＣＰＵ１０１が実行することに依り実現される。
【００５２】
入出力装置１０３は、タッチパネル、キーボード等の入力装置と、ディスプレイ装置等の出力装置である。例えば、入力装置は、上述のコントローラ１に対するユーザ操作を受け付け、出力装置は、上述の医療機器の一覧を表示する。
入出力ＩＦ１０４は、外部記憶装置等の外部装置との間で信号の送受信を行うためのインターフェースである。
【００５３】
記憶装置１０５は、プログラム及びプログラムの実行に必要な情報や、プログラムの実行に依り取得された情報等を不揮発的に記憶するストレージである。記憶装置１０５は、例えばＨＤＤ（Hard Disk Drive）である。可搬記録媒体駆動装置１０６は、可搬記録媒体１０８を駆動し、その記録内容にアクセスする。可搬記録媒体１０８は、メモリデバイス等である。この可搬記録媒体１０８には、ＵＳＢ（Universal Serial Bus）メモリ等も含まれる。可搬記録媒体１０８も記憶装置１０５と同様に、プログラム及びプログラムの実行に必要な情報や、プログラムの実行に依り取得された情報等を不揮発的に記憶するストレージである。
【００５４】
通信ＩＦ１０７は、ネットワークに接続され、そのネットワークを経由して外部装置と通信を行うためのインターフェースである。例えば、通信ＩＦ１０７は、無線ネットワークを経由して制御対象とする医療機器と無線通信を行う。
【００５５】
以上、本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせに依り、様々の発明を形成できる。例えば、実施形態に示される全構成要素のいくつかの構成要素を削除してもよい。さらに、異なる実施形態にわたる構成要素を適宜組み合わせてもよい。
【符号の説明】
【００５６】
１          コントローラ
２          医療機器、制御対象機器
３          医療機器
１１        無線通信部
１２        第１の記憶部
１３        第２の記憶部
１４        表示部
１５        制御部
１０１      ＣＰＵ
１０２      メモリ
１０３      入出力装置
１０４      入出力ＩＦ
１０５      記憶装置
１０６      可搬記録媒体駆動装置
１０７      通信ＩＦ
１０８      可搬記録媒体
１０９      バス
１５１      選択部
１５２      判定部
１５３      通信制御部
１５４      モード設定部
【図１】
2020072462.tif 000003
【図２】
2020072462.tif 000004
【図３】
2020072462.tif 000005
【図４】
2020072462.tif 000006
【図５】
2020072462.tif 000007